(57)【特許請求の範囲】
【請求項１】
ロープが巻掛けられるとともに回転することでこのロープを駆動して乗客が乗る乗かごを昇降させるとともにその回動を制動するブレーキを含む巻上機の近傍に設けられ、前記巻上機の点検に用いられる巻上機点検台とを備えたエレベーター点検装置において、
前記巻上機を前記乗かごが昇降する昇降路へ固定する巻上機固定部材に固定され、前記巻上機点検台を固定するための巻上機点検台固定穴が複数穿設された巻上機点検台固定部材と、
前記ブレーキの近傍に配設されるとともに複数のブレーキ点検台取付穴が穿設されるブレーキ点検台とを備え、
前記複数の巻上機点検台固定穴と対向する位置の前記巻上機点検台にそれぞれ巻上機点検台取付螺子穴および巻上機点検台取付穴を穿設し、
前記巻上機点検台取付螺子穴と前記巻上機点検台固定穴とを締結固定するとともに、この締結固定されていない前記巻上機点検台固定穴、巻上機点検台取付穴およびブレーキ点検台取付穴を締結固定するよう構成したことを特徴とするエレベーター点検装置。
【発明の詳細な説明】
【技術分野】
【０００１】
本発明は、駆動源となる巻上機を点検するためのエレベーター点検装置に関する。
【背景技術】
【０００２】
一般的にエレベーターは、乗かごとつり合いおもりとがロープで連結され、このロープが巻掛けられた巻上機を回転駆動させることで、前記乗かごとつり合いおもりとが釣瓶式に昇降路内を昇降する構成となっている。
【０００３】
また前記巻上機には、その回動を制動するブレーキが設けられているが、このブレーキはエレベーターの安全性を担保する重要な装置であることから、その点検作業も重要となる。
【０００４】
よって、従来では、前記巻上機の近傍には、主に前記ブレーキの点検に用いられる巻上機点検台が備えられることが多かった。
【０００５】
ところで、ブレーキ点検作業の際、作業者は巻上機点検台上で重量物であるブレーキを取り外すなどのブレーキ点検作業を行うが、高所に位置するブレーキ点検作業が安全且つ効率良く作業できるように、前記巻上機点検台を昇降させる構成か提案されている（特許文献１参照）。
【先行技術文献】
【特許文献】
【０００６】
【特許文献１】特開２００９−２０３０１９号公報
【発明の概要】
【発明が解決しようとする課題】
【０００７】
しかし従来技術においては、この巻上機点検台が障害となってその他の点検装置を設けることができないことや、巻上機点検台を昇降させているため、昇降に時間が掛かり、点検作業効率を悪くするといった不都合があった。
【０００８】
本発明は、上記不都合を解決するためになされたもので、その目的は、巻上機点検台及びその他の点検装置を同時に設置するのに好適なエレベーターの点検装置を提供することにある、
【課題を解決するための手段】
【０００９】
本発明は上記目的を達成するために、ローブが巻掛けられるとともに回転することでこのロープを駆動して乗客が乗る乗かごを昇降させるとともにその回動を制動するブレ一キを含む巻上機の近傍に設けられ、前記巻上機の点検に用いられる巻上機点検台を備えたエレベーター点検装置において、前記巻上機を前記乗かごが昇降する昇降路へ固定する巻上機固定部材に固定され、前記巻上機点検台を固定するための巻上機点検台固定穴が複数穿設された巻上機点検台固定部材と、前記ブレーキの近傍に配設されるとともに複数のブレーキ点検台取付穴が穿設されるブレーキ点検台とを備え、前記複数の巻上機点検台固定穴と対向する位置の前記巻上機点検台にそれぞれ巻上機点検台取付螺子穴および巻上機点検台取付穴を穿設し、前記巻上機点検台取付螺子穴と前記巻上機点検台固定穴とを締結固定するとともに、締結固定されていない前記巻上機点検台固定穴、巻上機点検台取付穴およびブレーキ点検台取付穴を締結固定するよう構成したことを特徴とする。
【発明の効果】
【００１０】
本発明によれば、上記のようにエレベーター点検装置を構成したため、巻上機点検台及びその他の点検装置を同時に設置することができる。
【図面の簡単な説明】
【００１１】
【図１】本発明の一実施の形態であるエレベーター点検装置の全体構成を示す斜視図である。
【図２】本発明の一実施の形態であるエレベーター点検装置の巻上機点検台固定部材を示す斜視図である。
【図３】本発明の一実施の形態であるエレベーター点検装置のブレーキ点検台を示す斜視図である。
【図４】本発明の一一実施の形態であるエレベータ一点検装置の巻上機点検台を示す斜視図である。
【図５】本発明の一実施の形態であるエレベーター点検装置の巻上機点検台の要部である点検台フレームの拡大斜視図である。
【図６】本発明の一実施の形態である図１のＡ部拡大斜視図である。
【図７】本発明の一実施の形態であるエレベーター点検装置の通常の締結固定方法を説明する説明図である。
【図８】本発明の一実施の形態であるエレベータ一点検装置の巻上機点検台の位置をずらして行う締結固定方法を説明する説明図である。
【図９】本発明の一実施の形態であるエレベーター点検装置の巻上機点検台の位置をずらして行う締結固定方法を説明する説明図である。
【発明を実施するための形態】
【００１２】
以下、本発明であるエレベーター点検装置の一実施の形態を図に基づき説明する。
【００１３】
まず、本発明である点検台を適用する巻上機１について、図１を用いて説明する。
【００１４】
ここで図１は、本発明の一実施の形態であるエレベーター点検装置の全体構成を示す斜視図である。
【００１５】
巻上機１には、図示していないロープが巻掛けられるとともに、回転駆動することで、そのロープを駆動して図示しない乗客が乗る乗かごを昇降させる構成となっている。
【００１６】
また、その回動を制動するブレーキである上下部ブレーキ３、４とを備えている。
【００１７】
さらに巻上機１は、前記図示しない乗かごが昇降する図示しない昇降路へＬブラケットからなる巻上機固定部材２を介して固定されている。
【００１８】
次に、本発明であるエレベーター点検装置の構成を図１に基づき説明する。
【００１９】
本発明であるエレベーター点検装置は、前記巻上機固定部材２に固定される巻上機点検台固定部材５と、この巻上機点検台固定部材５に締結固定され前記巻上機１を点検するために使用される巻上機点検台７と、同じく前記巻上機点検台固定部材５に締結固定され前記ブレーキ３、４を点検する際に使用されるブレーキ点検台６とを備えて構成されている。
【００２０】
また、図２に示すように、巻上機点検台固定部材５には、前記巻上機点検台７を固定するための巻上機点検台固定穴５ａ〜５ｅが複数穿設されている。ここで図２は、本発明の一実施の形態であるエレベーター点検装置の巻上機点検台固定部材を示す斜視図である。
【００２１】
さらに、図３に示すように、前記ブレーキ点検台６は、その点検時に前記ブレーキ３、４の部品等を載置するために使用されるブレーキ受台６ａと、このブレーキ受台６ａを前記巻上機点検台固定部材５に取付けるアタッチメント６ｂと、前記ブレーキ受台６ａと前記アタッチメント６ｂとを締結する締結具６ｃと、前記アタッチメント６ｂに穿設される複数のブレーキ点検台取付穴６ｄ〜６ｆとを備えて構成されている。
【００２２】
さらに、アタッチメント６ｂは、後述する巻上機点検台７が設置されてもブレーキ点検台６が設置可能となるよう断面が略Ｚ宇状の構成となっている。
【００２３】
ここで図３は、本発明の一実施の形態であるエレベーター点検装置のブレーキ点検台を示す斜視図である。
【００２４】
さらにまた、図４、５に示すように、前記巻上機点検台７は、点検台支柱７ａと、作業者が乗る天板７ｅと、この天板７ｅの底面を支持する点検台フレーム７ｃと、この点検台フレーム７ｃと点検台支柱７ａとの間に介設される筋交い７ｂと、前記点検台フレーム７ｃに穿設される巻上機点検台取付螺子穴７ｇと、巻上機点検台取付穴７ｆ、７ｈと、作業者の落下防止を図る点検台手摺り７ｄとを備えて構成されている。ここで図４は、本発明の一実施の形態であるエレベーター点検装置の巻上機点検台を示す斜視図、図５は本発明の一実施の形態であるエレベーター点検装置の巻上機点検台の要部である点検台フレームの拡大斜視図である。
【００２５】
次に、本発明であるエレベーターの点検装置の締結固定による設置方法を説明する。
【００２６】
図６に示すように、設置順序としては、まず巻上機点検台固定部材５と巻上機点検台７とを図示しない締結具で締結固定した後、巻上機点検台固定部材５とブレーキ点検台６とを締結固定する。
【００２７】
詳細に説明すると、図７に示すように、巻上機点検台固定穴５ｃと巻上機点検台取付螺子穴７ｇとを対向するように位置させて二つの穴５ｃおよび７ｇとの間を図示しない締結具で締結固定することで、巻上機点検台７を巻上機点検台固定部材５へ設置する。
【００２８】
次に上記締結固定で未使用の巻上機点検台固定穴５ｂと、前記巻上機点検台取付穴７ｆと、ブレーキ点検台取付穴６ｄとを図示しない締結具で締結固定することで、巻上機点検台７およびブレーキ点検台６とを巻上機点検台固定部材５へ設置する。
【００２９】
さらに、最初の締結固定で未使用の巻上機点検台固定穴５ｄと、前記巻上機点検台取付穴７ｈと、ブレーキ点検台取付穴６ｆとを図示しない締結具で締結固定することで、巻上機点検台７およびブレーキ点検台６とを巻上機点検台固定部材５へ設置する。
【００３０】
本発明によれば、上記のようにエレベーター点検装置を構成したため、巻上機点検台７およびその他の点検装置であるブレーキ点検台６を同時に、巻上機点検台固定部材５へ設置することが可能となる。
【００３１】
よって、ブレーキ点検台６を設置した方向に下部ブレーキ４をスライド変位させれば、下部ブレーキ４の部品などをブレーキ点検台６上に載置することができ、下部ブレーキ４の点検作業を安全且つ容易に行うことが可能となる。
【００３２】
なお、図７中で、破線８は、巻上機点検台７と巻上機点検台固定部材５とを締結固定する際の対向する穴を同一直線上に示しており、破線９は、巻上機点検台７とブレーキ点検台６と巻上機点検台固定部材５とを締結固定する際の対向する穴を同一直線上に示している。
【００３３】
なおここで、図６は、本発明のー実施の形態である図１のＡ部拡大斜視図、図７は、本発明の一実施の形態であるエレベーター点検装置の通常の締結固定方法を説明する説明図である。
【００３４】
ところで、前記巻上機点検台７は、通常時は図７に示すように、巻上機１の中心とその中心位置とが対向するように設置されるが、図示しない昇降路内機器の配置によっては、その機器との干渉を避けるために巻上機１の中心とその中心位置とが、ずれて設置される場合がある。
【００３５】
その場合の本発明であるエレベーターの点検装置の締結固定による設置方法を図８を用いて説明する。ここで図８は、本発明の一実施の形態であるエレベーター点検装置の巻上機点検台の位置をずらして行う締結固定方法を説明する説明図である。
【００３６】
この場合の締結固定方法は、巻上機点検台固定穴５ｄと巻上機点検台取付螺子穴７ｇとを対向するように位置させて二つの穴５ｄおよび７ｇとの間を図示しない締結具で締結固定することで、巻上機点検台７を巻上機点検台固定部材５へ設置する。
【００３７】
次に、上記締結固定で未使用の巻上機点検台固定穴５ｃと、前記巻上機点検台取付穴７ｆと、ブレーキ点検台取付穴６ｅとを図示しない締結具で締結固定することで、巻上機点検台７およびブレーキ点検台６とを巻上機点検台固定部材５へ設置する。
【００３８】
この時、巻上機点検台固定穴５ｂと、ブレーキ点検台取付穴６ｄは、巻上機点検台７の点検台フレーム７ｃにより塞がれてしまい締結使用不可となっている。
【００３９】
本発明によれば、このように巻上機１の中心と巻上機点検台７との中心位置とが、ずれて設置される場合においても、巻上機点検台７と、ブレーキ点検台６とを同時に、巻上機点検台固定部材５へ設置することが可能となる。
【００４０】
なお、図８中で、破線１０は、巻上機点検台７が障害となり、ブレーキ点検台６と巻上機点検台固定部材５とを締結固定することができないことを示す直線である。
【００４１】
また図８の場合よりもさらに巻上機１の中心と巻上機点検台７との中心位置とをずらして設置する場合について、図９を用いて説明する。
【００４２】
この場合の締結固定方法は、巻上機点検台固定穴５ｅと巻上機点検台取付螺子穴７ｇとを対向するように位置させて二つの穴５ｅおよび７ｇとの間を図示しない締結具で締結固定することで、巻上機点検台７を巻上機点検台固定部材５へ設置する。
【００４３】
次に、上記締結固定で未使用の巻上機点検台固定穴５ｄと、前記巻上機点検台取付穴７ｆと、ブレーキ点検台取付穴６ｆとを図示しない締結具で締結固定することで、巻上機点検台７およびブレーキ点検台６とを巻上機点検台固定部材５へ設置する。
【００４４】
さらに最初の締結固定で未使用の巻上機点検台固定穴５ｂと、ブレーキ点検台取付穴６ｄとを図示しない締結具で締結固定することで、ブレーキ点検台６を巻上機点検台固定部材５へ設置する。
【００４５】
この時、巻上機点検台固定穴５ｃと、ブレーキ点検台取付穴６ｅは、巻上機点検台７の
点検台フレーム７ｃにより塞がれてしまい締結使用不可となっている。
【００４６】
本発明によれば、このように巻上機１の中心と巻上機点検台７との中心位置とが、図８に示した場合よりも、さらにずれて設置される場合においても、巻上機点検台７と、ブレーキ点検台６とを同時に、巻上機点検台固定部材５へ設置することが可能となる。
【００４７】
なお、図８および図９の説明では、巻上機１の中止とのずれる方向を図中右方向としたが、図中左方向にずれる場合でも同様に設置可能である。
【００４８】
本説明では、下部ブレーキ４の点検に際してブレーキ点検台６を設置することついて説明したが、上部ブレーキ３のを点検する際には、巻上機１の前面に図示しないネジ穴を設けておけば、ブレーキ受台６ａのみを同ネジ穴を利用して設置することができる。
【符号の説明】
【００４９】
１  巻上機
２  巻上機固定部材
３  上部ブレーキ
４  下部ブレーキ
５  巻上機点検台固定部材
５ａ〜５ｅ  巻上機点検台固定穴
６  ブレーキ点検台
６ａ  ブレーキ受台
６ｂ  アタッチメント
６ｃ  締結具
６ｄ〜６ｆ  ブレーキ点検台取付穴
７  巻上機点検台
７ａ  点検台支柱
７ｂ  筋交い
７ｃ  点検台フレーム
７ｄ  点検台手摺り
７ｅ  天板
７ｆ、７ｈ  巻上機点検台取付穴
７ｇ  巻上機点検台取付螺子穴
【図１】
0005926707.tif 000002
【図２】
0005926707.tif 000003
【図３】
0005926707.tif 000004
【図４】
0005926707.tif 000005
【図５】
0005926707.tif 000006
【図６】
0005926707.tif 000007
【図７】
0005926707.tif 000008
【図８】
0005926707.tif 000009
【図９】
0005926707.tif 000010